(57)【要約】【課題】ＯＡＭ ＰＤＵｓを生成と同時に伝送できるようにして、ネットワーク管理の効率性を高めるＯＡＭパケットデータ伝送方法及びこのためのコントロールマルチプレクサを含むＥＰＯＮを提供する。【解決手段】イーサネット(登録商標)受動型光加入者ネットワークでＭＡＣクライアントから伝送されるＭＡＣクライアントデータ及びＯＡＭコントローラにおいて生成されたＯＡＭパケットデータをＭＡＣエンティティに伝送するＯＡＭサブ階層のコントロールマルチプレクサにおいて、ＯＡＭコントローラによってＯＡＭパケットデータが生成されると、ＭＡＣクライアントにおいて伝送待機中であるＭＡＣクライアントデータに与えられた優先順位より高い優先順位をＯＡＭパケットデータに与える優先順位付与段階と、ＯＡＭパケットデータ及びＭＡＣクライアントデータを与えられた優先順位に応じてマルチプレキシングしてＭＡＣエンティティに伝送する段階と、を含む。【選択図】  図５
2004153836.tif 000002
【特許請求の範囲】
【請求項１】
イーサネット(登録商標)受動型光加入者ネットワークでＭＡＣクライアントから伝送されるＭＡＣクライアントデータとＯＡＭコントローラにおいて生成されたＯＡＭパケットデータとをＭＡＣエンティティに伝送するＯＡＭサブ階層のコントロールマルチプレクサをもつＯＡＭパケットデータ伝送方法において、
前記ＯＡＭコントローラによってＯＡＭパケットデータが生成されると、前記ＭＡＣクライアントにおいて伝送待機中であるＭＡＣクライアントデータに与えられた優先順位よりも高い優先順位を当該ＯＡＭパケットデータに与える優先順位付与段階と、
前記ＯＡＭパケットデータ及び前記ＭＡＣクライアントデータを、前記優先順位に応じてマルチプレキシングし、前記ＭＡＣエンティティに伝送する多重化段階と、を含むことを特徴とするＯＡＭパケットデータ伝送方法。
【請求項２】
優先順位付与段階は、ＯＡＭパケットデータがＯＡＭコントローラによって生成されるか否かを判断する生成判断過程を含む請求項１記載のＯＡＭパケットデータ伝送方法。
【請求項３】
生成判断過程は、コントロールマルチプレクサによって遂行される請求項２記載のＯＡＭパケットデータ伝送方法。
【請求項４】
多重化段階は、コントロールマルチプレクサによって遂行される請求項３記載のＯＡＭパケットデータ伝送方法。
【請求項５】
生成判断過程は、ＭＡＣクライアントにおいて伝送待機中であるＭＡＣクライアントデータの伝送待機キューが存在するか否かを判断するキュー判断過程を含む請求項２記載のＯＡＭパケットデータ伝送方法。
【請求項６】
キュー判断過程は、コントロールマルチプレクサによって遂行される請求項５記載のＯＡＭパケットデータ伝送方法。
【請求項７】
多重化段階は、コントロールマルチプレクサによって遂行される請求項６記載のＯＡＭパケットデータ伝送方法。
【請求項８】
キュー判断過程で、ＭＡＣクライアントデータの伝送待機キューが存在しないと判断されると、多重化段階で、データの生成順序に応じて当該データに優先順位を割り当てる請求項７記載のＯＡＭパケットデータ伝送方法。
【請求項９】
キュー判断過程で、ＭＡＣクライアントデータの伝送待機キューが存在しないと判断されると、多重化段階で、データの生成順序に応じて当該データに優先順位を割り当てる請求項５記載のＯＡＭパケットデータ伝送方法。
【請求項１０】
イーサネット(登録商標)受動型光加入者ネットワークでＭＡＣクライアントから伝送されるＭＡＣクライアントデータとＯＡＭコントローラにおいて生成されたＯＡＭパケットデータとをＭＡＣエンティティに伝送するＯＡＭサブ階層を実行するプロセッサにおいて、
前記ＯＡＭコントローラによってＯＡＭパケットデータが生成されると、前記ＭＡＣクライアントにおいて伝送待機中であるＭＡＣクライアントデータに与えられた優先順位よりも高い優先順位を当該ＯＡＭパケットデータに与え、前記ＭＡＣクライアントデータよりも優先させて前記ＯＡＭパケットデータを前記ＭＡＣエンティティに伝送するコントロールマルチプレクサの機能を含むことを特徴とするＯＡＭサブ階層を実行するプロセッサ。
【請求項１１】
コントロールマルチプレクサは、ＯＡＭパケットデータがＯＡＭコントローラによって生成されたか否かを判断する請求項１０記載のＯＡＭサブ階層を実行するプロセッサ。
【請求項１２】
コントロールマルチプレクサは、ＭＡＣクライアントデータとＯＡＭパケットデータとをマルチプレキシングする請求項１０記載のＯＡＭサブ階層を実行するプロセッサ。
【請求項１３】
コントロールマルチプレクサは、ＭＡＣクライアントにおいて伝送待機中であるＭＡＣクライアントデータの伝送待機キューが存在するか否かを判断する請求項１１記載のＯＡＭサブ階層を実行するプロセッサ。
【請求項１４】
コントロールマルチプレクサは、ＭＡＣクライアントデータの伝送待機キューが存在しないと判断されると、データの生成順序に応じて当該データに優先順位を割り当てる請求項１３記載のＯＡＭサブ階層を実行するプロセッサ。
【請求項１５】
イーサネット（登録商標）受動型光加入者ネットワークでＭＡＣクライアントから伝送されるＭＡＣクライアントデータとＯＡＭコントローラにおいて生成されたＯＡＭパケットデータとをＭＡＣエンティティに伝送するＯＡＭサブ階層を実行し、そのＯＡＭサブ階層において、前記ＯＡＭコントローラによってＯＡＭパケットデータが生成されると、前記ＭＡＣクライアントにおいて伝送待機中であるＭＡＣクライアントデータに与えられた優先順位よりも高い優先順位を当該ＯＡＭパケットデータに与え、前記ＭＡＣクライアントデータよりも優先させて前記ＯＡＭパケットデータを前記ＭＡＣエンティティに伝送するコントロールマルチプレクサの機能を実行するようにコンピュータを動作させるプログラム。
【請求項１６】
コントロールマルチプレクサは、ＯＡＭパケットデータがＯＡＭコントローラによって生成されたか否かを判断する請求項１５記載のプログラム。
【請求項１７】
コントロールマルチプレクサは、ＭＡＣクライアントデータとＯＡＭパケットデータとをマルチプレキシングする請求項１６記載のプログラム。
【請求項１８】
コントロールマルチプレクサは、ＭＡＣクライアントにおいて伝送待機中であるＭＡＣクライアントデータの伝送待機キューが存在するか否かを判断する請求項１７記載のプログラム。
【請求項１９】
コントロールマルチプレクサは、ＭＡＣクライアントにおいて伝送待機中であるＭＡＣクライアントデータの伝送待機キューが存在するか否かを判断する請求項１６記載のプログラム。
【請求項２０】
コントロールマルチプレクサは、ＭＡＣクライアントにおいて伝送待機中であるＭＡＣクライアントデータの伝送待機キューが存在するか否かを判断する請求項１５記載のプログラム。
【発明の詳細な説明】
【技術分野】
【０００１】
本発明は、イーサネット(登録商標)受動型光加入者ネットワーク(Ethernet(登録商標) Passive Optical Network:ＥＰＯＮ)に関し、特に、ＥＰＯＮ構造におけるＯＡＭ(operation, administration, and maintenance)情報伝達に関する。
【背景技術】
【０００２】
現在、ギガビットイーサネット(登録商標)及びＡＴＭ−ＰＯＮ用ＭＡＣ技術は、予め標準化が完了し、その内容は、ＩＥＥＥ８０２．３ｚ及びＩＴＵ−ＴＧ．９８３．１に記述されている。ＰＯＮ(Passive Optical Network)形態としては、ＡＴＭ−ＰＯＮが第１に標準化が行われ、このＡＴＭ−ＰＯＮにおいては、上り及び下り伝送がＡＴＭセルを一定サイズで縛ったフレーム形態で行われる。ＡＴＭ−ＰＯＮは、ＯＬＴ(Optical Line Termination)がそのフレーム内へ、各ＯＮＵ(Optical Network Unit)に配分される下りセルを適切に挿入することになるので、ツリー(tree)形態の構造を有する。
【０００３】
図１は、一般的な受動型光加入者ネットワークの物理的ネットワーク構造を示す。
【０００４】
図１の受動型光加入者ネットワークは、１つのＯＬＴ１００及びＯＬＴ１００に接続される少なくとも１つのＯＮＵ１１０−１〜１１０−３から構成される。ＯＮＵ１１０−１〜１１０−３にはそれぞれ少なくとも１つの使用者(end user またはnetwork device)１２０−１〜１２０−３が接続できる。各使用者１２０−１〜１２０−３から伝送されるデータ１３１〜１３３が各ＯＮＵ１１０−１〜１１０−３を経てＯＬＴ１００に伝送される。 
【０００５】
図１に示す、８０２．３イーサネット(登録商標)フレームを点対多点(point-to-multipoint:ＰＴＭ)構造のネットワークを通して伝送するＥＰＯＮ構造において、受動素子であるＯＤＮ(Optical Distribution Network)におけるレンジング(ranging)という方法を通して、ＯＮＵのデータは上り伝送の場合にデータの衝突を防止するようにマルチプレキシングされ、ＴＤＭ(Time Division Multiplexing)方式でアクセスされ、ＯＬＴ１００によってブロードキャストされるデータを受信するＯＮＵ１１０−１〜１１０−３は、受信されたデータのうち自分が受信するデータのみを選択する。
【０００６】
このために、上下伝送フレームは、一定間隔でメッセージを交換するために専用ＡＴＭセルまたは一般ＡＴＭセル内にフィールドを備える。インターネット技術の発達につれて加入者側がより多くの帯域幅を要求するようになるに従い、相対的に高価の設備を要し、帯域幅に制限があり且つＩＰパケットを分割(segmentation)しなけらばならないＡＴＭ技術よりも、相対的に低価格の設備で高い帯域幅を確保できるギガビットイーサネット(登録商標)によって、エンドツーエンド(end to end)伝送を達成するようになってきている。従って、加入者ネットワークのＰＯＮ構造においてもＡＴＭではなくイーサネット(登録商標)方式を要求するようになっている。
【０００７】
一方、『IEEE 802.3ah Ethernet in the First Mile Task Force』は、現在標準化進行中の「First Mile」に適用されるイーサネット(登録商標)システムにおいてＯＡＭサブ階層を新しく定義する。この標準は、ＯＡＭフレームにデータフレームより高い優先順位(Priority)を与える方法を適用し、ＯＡＭフレームが生成されて伝送されるまでの時間を最小化することによって、ＯＡＭ機能が効率的に作用するようにその動作方法を定義する。具体的に、IEEE802.3ah EFM Draft v1.1によると、ＯＡＭサブ階層は、ＯＡＭ ＰＤＵｓ(Packet Data Units)をＭＡＣ(Medium Access Control)制御サブ階層(control sublayer)に伝達するときに、上位階層(ＭＡＣクライアント)からのＭＡＣクライアントデータ(client Data)の伝達の結果発生する難点を低減するために、上位階層(ＭＡＣクライアント)からのＭＡＣクライアントデータ(client Data)を伝達する経路(Path)を遮断する。
【０００８】
しかしながら、ループバック(Loopback)及び一方向(Unidirectional)モードでない場合は、ＯＡＭ ＰＤＵｓとＭＡＣクライアントデータ(Client Data)との間に優先順位を決定することがない。例えば、ＯＡＭ ＰＤＵｓが生成される時点で伝送を待機しているＭＡＣクライアントデータフレームが多い場合は、ＯＡＭ ＰＤＵｓの生成時点で直ちに伝送することができない。従って、ＯＡＭ情報が効率的に伝達できない問題点が発生する。
【発明の開示】
【発明が解決しようとする課題】
【０００９】
以上の背景に鑑みて本発明の目的は、ＯＡＭ ＰＤＵｓを生成と同時に伝送できるようにして、ネットワーク管理の効率性を高めるＯＡＭパケットデータ伝送方法及びこのためのコントロールマルチプレクサを含むＥＰＯＮを提供することにある。
【課題を解決するための手段】
【００１０】
このような目的を達成するため、本発明は、イーサネット(登録商標)受動型光加入者ネットワークでＭＡＣクライアントから伝送されるＭＡＣクライアントデータとＯＡＭコントローラにおいて生成されたＯＡＭパケットデータとをＭＡＣエンティティ(entity)に伝送するＯＡＭサブ階層のコントロールマルチプレクサをもつＯＡＭパケットデータ伝送方法において、ＯＡＭコントローラによってＯＡＭパケットデータが生成されると、ＭＡＣクライアントにおいて伝送待機中であるＭＡＣクライアントデータに与えられた優先順位より高い優先順位を当該ＯＡＭパケットデータに与える優先順位付与段階と、これらＯＡＭパケットデータ及びＭＡＣクライアントデータをその優先順位に応じてマルチプレキシングし、ＭＡＣエンティティに伝送する多重化段階と、を実行することを特徴とする。
【００１１】
その優先順位付与段階は、ＯＡＭパケットデータがＯＡＭコントローラによって生成されるか否かを判断する生成判断過程を含むことができる。この生成判断過程は、コントロールマルチプレクサによって遂行されるものとできる。この場合の多重化段階は、コントロールマルチプレクサによって遂行可能である。
【００１２】
また、生成判断過程は、ＭＡＣクライアントにおいて伝送待機中であるＭＡＣクライアントデータの伝送待機キューが存在するか否かを判断するキュー判断過程を含むものとしてもよい。このキュー判断過程は、コントロールマルチプレクサによって遂行されるものとでき、この場合の多重化段階も、コントロールマルチプレクサによって遂行されるものとすることができる。
【００１３】
このようなキュー判断過程は、ＭＡＣクライアントデータの伝送待機キューが存在しないと判断されると、多重化段階で、データの生成順序に応じて当該データに優先順位を割り当てる過程とすることが可能である。
【００１４】
また、本発明によれば、イーサネット(登録商標)受動型光加入者ネットワークでＭＡＣクライアントから伝送されるＭＡＣクライアントデータとＯＡＭコントローラにおいて生成されたＯＡＭパケットデータとをＭＡＣエンティティに伝送するＯＡＭサブ階層を実行するプロセッサにおいて、ＯＡＭコントローラによってＯＡＭパケットデータが生成されると、ＭＡＣクライアントにおいて伝送待機中であるＭＡＣクライアントデータに与えられた優先順位よりも高い優先順位を当該ＯＡＭパケットデータに与え、ＭＡＣクライアントデータよりも優先させてＯＡＭパケットデータをＭＡＣエンティティに伝送するコントロールマルチプレクサの機能を含むことを特徴とする。
【００１５】
そのコントロールマルチプレクサは、ＯＡＭパケットデータがＯＡＭコントローラによって生成されたか否かを判断するようにしてもよい。またコントロールマルチプレクサは、ＭＡＣクライアントデータとＯＡＭパケットデータとをマルチプレキシングするようにしてもよい。このようなコントロールマルチプレクサは、ＭＡＣクライアントにおいて伝送待機中であるＭＡＣクライアントデータの伝送待機キューが存在するか否かを判断するものとすることができる。この場合のコントロールマルチプレクサは、ＭＡＣクライアントデータの伝送待機キューが存在しないと判断されると、データの生成順序に応じて当該データに優先順位を割り当てる構成とすることが可能である。
【００１６】
また、本発明によれば、イーサネット（登録商標）受動型光加入者ネットワークでＭＡＣクライアントから伝送されるＭＡＣクライアントデータとＯＡＭコントローラにおいて生成されたＯＡＭパケットデータとをＭＡＣエンティティに伝送するＯＡＭサブ階層を実行し、そのＯＡＭサブ階層において、ＯＡＭコントローラによってＯＡＭパケットデータが生成されると、ＭＡＣクライアントにおいて伝送待機中であるＭＡＣクライアントデータに与えられた優先順位よりも高い優先順位を当該ＯＡＭパケットデータに与え、ＭＡＣクライアントデータよりも優先させてＯＡＭパケットデータをＭＡＣエンティティに伝送するコントロールマルチプレクサの機能を実行するようにコンピュータを動作させるプログラムが提供される。
【００１７】
そのコントロールマルチプレクサは、ＯＡＭパケットデータがＯＡＭコントローラによって生成されたか否かを判断する機能をもつことができ、また、ＭＡＣクライアントデータとＯＡＭパケットデータとをマルチプレキシングする機能をもつことができる。このようなコントロールマルチプレクサは、ＭＡＣクライアントにおいて伝送待機中であるＭＡＣクライアントデータの伝送待機キューが存在するか否かを判断することもできる。
【発明の効果】
【００１８】
本発明によると、ＭＡＣクライアントデータフレーム及びＯＡＭ ＰＤＵｓをマルチプレキシングするＯＡＭサブ階層のコントロールマルチプレクサがＯＡＭ ＰＤＵｓにＭＡＣクライアントデータフレームより高い優先順位を与える。それによって、ＭＡＣクライアントデータの伝送待機キューの長さの増加してもＯＡＭ ＰＤＵｓの伝送遅延が発生しないようになり、これによるネットワーク管理の誤謬を防止することができる。
【００１９】
本発明において、ＭＡＣクライアントデータフレーム及びＯＡＭ ＰＤＵｓをマルチプレキシングするＯＡＭサブ階層のコントロールマルチプレクサは、ＯＡＭ ＰＤＵｓにＭＡＣクライアントデータフレームより高い優先順位を与える。この優先順位方式により、ＯＡＭ ＰＤＵｓがＭＡＣクライアントデータの伝送待機キューの長さの影響を受けて発生する伝送遅延を防止することができ、伝送遅延を低減してネットワーク管理誤謬発生時に直ちに対処することができるようにＯＡＭ情報を効率的に提供することが可能となる。
【発明を実施するための最良の形態】
【００２０】
以下、本発明の好適な実施形態について添付図を参照しつつ詳細に説明する。下記の説明において、本発明の要旨のみを明確にする目的で、関連した公知機能又は構成に関する具体的な説明は省略する。
【００２１】
図２は、IEEE802.3ah EFM Draft v1.1におけるＯＡＭサブ階層(sublayer)のブロック図である。図２のＯＡＭサブ階層(Sublayer)３１０は、ＯＡＭコントローラ３１４、コントロールマルチプレクサ(Control Multiplexer)３１６、及びコントロールパーサ(Control Parser)３１８から構成される。上位階層３００から提供されたＭＡＣクライアントデータ及びＯＡＭコントローラ３１４において生成されたＯＡＭ ＰＤＵｓがコントロールマルチプレクサ３１６においてマルチプレキシングされ、ＭＡＣコントロールサブ階層３２０に伝達される。 
【００２２】
図３は、従来のコントロールマルチプレクサ(Control Multiplexer)の動作を説明するための図であり、従来のコントロールマルチプレクサのループバックモード(Loopback mode)及び一方向モード(Unidirectional mode)を除いたＯＡＭ動作において、ＯＡＭ ＰＤＵｓを伝送するための動作を示す。当該従来のコントロールマルチプレクサは、ＭＡＣクライアントデータフレーム(MAC Client Data)及びＯＡＭ ＰＤＵｓを、生成された順序で伝送するように動作する。図３に示すように、ＭＡＣクライアントデータフレームが伝送を待機していると、ＯＡＭ ＰＤＵｓ２２１，２２２は、生成された時点で直ちにＭＡＣコントロールサブ階層３２０に伝送されない。つまり、ＯＡＭ ＰＤＵｓが、ＭＡＣコントロールサブ階層３２０にまだ伝送されていないＭＡＣクライアントデータフレームより遅れて生成されると、それ以前に生成されたＭＡＣクライアントデータフレームが伝送されるまでは、ＯＡＭ ＰＤＵｓが伝送されない。従って、ＭＡＣクライアントデータフレームの伝送待機キューサイズ及びＯＡＭ ＰＤＵｓの待機時間は比例して増加する。
【００２３】
ＯＡＭ ＰＤＵｓより先に生成されたＭＡＣクライアントデータフレームが伝送待機状態である場合、ＯＡＭ ＰＤＵｓを伝送できないので、ＭＡＣクライアントデータフレームの伝送待機キューサイズ及びＯＡＭ ＰＤＵｓの伝送待機時間は比例して増加する。従って、ＯＡＭデータの伝送遅延が発生し、ネットワーク管理誤謬の発生時に迅速に対処することができない。
【００２４】
図４は、ＯＡＭ ＰＤＵｓに優先順位を割り当てるコントロールマルチプレクサの動作を説明するための図である。本発明のコントロールマルチプレクサは、前述したように、ＭＡＣクライアントデータフレームとＯＡＭ ＰＤＵｓとを生成された順序で伝送することによって発生する問題点を解決するために、ＯＡＭ ＰＤＵｓの生成時に優先順位を割り当てて、ＯＡＭ ＰＤＵｓがＭＡＣクライアントデータフレームより先に伝送されるようにする。 
【００２５】
図３のように、ＭＡＣクライアントデータフレームが１、２、３、４...の順序で生成され、ＯＡＭ ＰＤＵｓの１、２が生成されたときにこれに優先順位を与えなかった場合、ＯＡＭ ＰＤＵｓは、図３に関連して説明したように、生成順序によって、ＯＡＭ ＰＤＵｓより先に生成されたＭＡＣクライアントデータフレームが伝送されるまでは伝送されない。
【００２６】
しかしながら、本発明によるＯＡＭサブ階層のコントロールマルチプレクサは、ＯＡＭ ＰＤＵｓに対し、ＭＡＣクライアントデータフレームに与えられた優先順位より高い優先順位を与える。コントロールマルチプレクサ３１６は、ＯＡＭ ＰＤＵｓがＭＡＣクライアントフレームより後で生成されたとしても、ＯＡＭ ＰＤＵｓを先に伝送する。図４に示すように、ＯＡＭ ＰＤＵｓは、ＭＡＣクライアントデータフレームより高い優先順位を有するので、その生成順序とは関係なく、ＭＡＣクライアントデータフレームより優先して伝送される。従って、ＯＡＭ ＰＤＵｓは、ＭＡＣクライアントデータフレームの伝送待機キューの長さの増加によって伝送遅延が発生することがない。 
【００２７】
図５は、本発明のコントロールマルチプレクサの動作を示すフローチャートの例である。図２及び図５を参照すると、ＯＡＭサブ階層３１０のコントロールマルチプレクサ３１６は、段階４０２で、ＯＡＭコントローラ３１４においてＯＡＭ ＰＤＵｓが生成されているかをチェックする。ＯＡＭ ＰＤＵｓが生成された場合、ＯＡＭコントローラ３１４は、ＯＡＭ ＰＤＵｓをＭＡＣコントロールサブ階層３２０に伝達するコントロールマルチプレクサ３１６へ伝達する。従って、コントロールマルチプレクサ３１６は、ＯＡＭコントローラ３１４においてＯＡＭ ＰＤＵｓが生成されたか否かを判断することができる。ＯＡＭ ＰＤＵｓが生成された場合、コントロールマルチプレクサ３１６は、段階４０４で、ＭＡＣクライアントデータフレームの伝送待機キューをチェックする。次に、コントロールマルチプレクサ３１６は、段階４０６で、ＭＡＣクライアントデータフレームの伝送待機キューに、ＭＡＣコントロールサブ階層３２０へ伝達するＭＡＣクライアントデータが存在するか否かを検査する。ＭＡＣクライアントデータフレームの伝送待機キューに、ＭＡＣコントロールサブ階層３２０に伝達されるＭＡＣクライアントデータが存在する場合、コントロールマルチプレクサ３１６は、段階４０８で、ＯＡＭ ＰＤＵｓに、ＭＡＣクライアントデータフレームより高い伝送優先順位を与え、段階４１２に進行する。一方、コントロールマルチプレクサ３１６は、伝送するＭＡＣクライアントデータが存在しないと判断された場合、段階４１０で、ＯＡＭ ＰＤＵｓの生成順序によって伝送優先順位を与える。
【００２８】
以降、コントロールマルチプレクサ３１６は、段階４１２で、ＭＡＣコントロールサブ階層３２０への伝送を開始するか否かを決定する。ＭＡＣコントロールサブ階層３２０への伝送が開始されると、与えられた優先順位によってＯＡＭ ＰＤＵｓ及びＭＡＣクライアントデータフレームをマルチプレキシングしてＭＡＣコントロールサブ階層３２０に伝達する（段階４１４）。
【００２９】
以上、本発明を具体的形態を参照して詳細に説明してきたが、本発明の範囲は上記の例によって限られるべきではない。例えば、本発明によって構成されたＯＡＭサブ階層及びその構成要素は、ソフトウェア的に構成することもできるし、ハードウェアまたはファームウェア(firmware)的に具現することもできる。本発明の範囲内で様々な変形が可能であるということは、当該技術分野における通常の知識を持つ者には明らかである。
【図面の簡単な説明】
【００３０】
【図１】一般的な受動型光加入者ネットワークの物理的ネットワーク構造を示す図。
【図２】IEEE802.3ah EFM Draft v1.1におけるＯＡＭサブ階層のブロック図。
【図３】従来のコントロールマルチプレクサの動作を説明するための図。
【図４】ＯＡＭ ＰＤＵｓに優先順位を割り当てる機能を有したコントロールマルチプレクサの動作を説明するための図。
【図５】本発明によるコントロールマルチプレクサの動作を示すフローチャートの例。
【符号の説明】
【００３１】
３１０  ＯＡＭサブ段階
３１４  ＯＡＭコントローラ
３１６  コントロールマルチプレクサ
３１８  コントロールパーサ
３２０  ＭＡＣコントロールサブ段階
【図１】
2004153836.tif 000003
【図２】
2004153836.tif 000004
【図３】
2004153836.tif 000005
【図４】
2004153836.tif 000006
【図５】
2004153836.tif 000007